(57)【要約】      （修正有）【課題】トイレット用ペーパー等ペーパーを繰り出す時、蓋を持ち上げなくても容易にペーパーを摘み出せるペーパーホルダーを提供する。【解決手段】ホルダー本体１と蓋部から成り、その本体１を二枚のサイドカバー１ａ、１ａ’と後ろカバー１ｂで形成する。その両サイドカバーの内側にはペーパーセットスペース及びペーパーをセットする為に回動自在で、バネも備えたペーパーセットバー２ａ、２ａ’を設ける。その後ろカバー１ｂの上部には中蓋１０、上蓋１６との両蓋で構成し開閉自在に設ける。その中蓋１０の上部にはペーパー引き出し開口部１２及びペーパー送り出し片１３を設け、その先端に流線形を施しペーパー取り出し片１５を設ける。その上蓋１６の先端にはペーパーカバー２２及びペーパー取り出し口を設け、その上部にバネ２０ａ、２１ａ’を備えたペーパーカッター２４を設ける。又その裏側にはペーパー押さえ２５を設け、その先端に刃先２６を設けたことを特徴とする。【選択図】図１
0003166455.tif 000002
【実用新案登録請求の範囲】
【請求項１】
ホルダー本体と蓋部とから成り、そのホルダー本体を二枚のサイドカバーと後ろカバーで形成し、
その二枚のサイドカバーの内側には、トイレットペーパーの着脱に伴う空間としてペーパーセットスペース及び、トイレットペーパーをセットするための軸となるピンを支点に回動自在で、且つ元の位置に戻す為のバネを備えたペーパーセットバーを設け、
その後ろカバーの上部には、中蓋、上蓋との二枚の蓋で構成された蓋部をピンを支点に開閉自在に設け、
その中蓋の上部には、ペーパー引き出し開口部及びペーパー送り出し片を設け、その先端には手前に少し突き出したような滑らかな流線形を施したペーパー取り出し片を設け、
且つ前記上蓋の先端にはペーパーカバーを設けると共に、そのペーパーカバーの先端にペーパー取り出し口を設け、その上部にピンを支点に回動自在で且つ元の位置に戻す為のバネを備えたペーパーカッターを設け、
更にそのペーパーカッターの裏側にはペーパー押さえを設けると共に、その先端に刃先を設けたことを特徴とするペーパーホルダー。
【考案の詳細な説明】
【技術分野】
【０００１】
本考案は、ペーパーホルダーの蓋を改良し、トイレットペーパーを取り出しやすくしたペーパーホルダーに関するものである。
【背景技術】
【０００２】
従来技術では、トイレットペーパーを切る際、ホルダー上部に設けられた蓋のカッター部分でペーパーを切るために、余白を残すことが出来ずにペーパーが切れてしまい、次に繰り出すときには蓋を持ち上げてペーパーをつまみ出したり、又はペーパーの切り口が手前に出てくるように、トイレットペーパー本体を手で転がしたりしていた為に取り出しづらいものであった。
【考案の概要】
【考案が解決しようとする課題】
【０００３】
本願は、前途の欠点を解決しようとするもので、トイレットペーパーを切る際、余白を残して切ることを可能にし、その余白を利用してトイレットペーパーを簡単に取り出せるようにするものである。
【課題を解決するための手段】
【０００４】
本案ペーパーホルダーは、ホルダー本体と蓋部とから成り、そのホルダー本体を二枚のサイドカバーと後ろカバーで形成し、その二枚のサイドカバーの内側には、トイレットペーパーの着脱に伴う空間としてペーパーセットスペース及び、トイレットペーパーをセットするための軸となるピンを支点に回動自在で、且つ元の位置に戻す為のバネを備えたペーパーセットバーを設け、その後ろカバーの上部には、中蓋、上蓋との二枚の蓋で構成された蓋部をピンを支点に開閉自在に設け、その中蓋の上部には、ペーパー引き出し開口部及びペーパー送り出し片を設け、その先端には手前に少し突き出したような滑らかな流線形を施したペーパー取り出し片を設け、且つ前記上蓋の先端にはペーパーカバーを設けると共に、そのペーパーカバーの先端にペーパー取り出し口を設け、その上部にピンを支点に回動自在で且つ元の位置に戻す為のバネを備えたペーパーカッターを設け、更にそのペーパーカッターの裏側にはペーパー押さえを設けると共に、その先端に刃先を設けることで問題点を解決している。
【考案の効果】
【０００５】
上途の様に本考案の取り出し片付ペーパーホルダーは、ホルダー本体を二枚のサイドカバーと後ろカバーで形成し、その二枚のサイドカバーの内側にはトイレットペーパーの着脱に伴う空間としてペーパーセットスペース及び、ペーパーセットバーを設けているので、そのペーパーセットスペースを利用し、ペーパーセットバーにトイレットペーパーをセットすることが出来る。
その時、そのペーパーセットバーの両端には、回動スペースを設けているので、ペーパーセットバーが回動する際にサイドカバーとの接触を防ぐことが出来、トイレットペーパーを回動自在にセットすることが出来る。
次に、前記ホルダー本体には、中蓋、上蓋と二枚の蓋を設け、その中蓋にはペーパーの切れ端を引き出すためのペーパー引き出し開口部を設けたので、中蓋を閉じた状態からペーパーの切れ端を引き出すことが出来きる。
又、そのペーパー引き出し開口部の手前にペーパー送り出し片を設け、手前に引き出されるペーパーを円滑に受け流す役割をする。
更に、その中蓋の先端にはペーパー取り出し片を設けて、ペーパーをつまみ出し易くする。
次に、上記上蓋の先端にはペーパーカバーを設けたので、ペーパーのずれを防止することが出来、その先端部にはペーパー取り出し口を設けたので、ペーパー取り出し片に引き出されたペーパーが余白となって容易につまみ繰り出すことが出来るようになる。
又、その上部にピンを支点に回動自在で、且つ元の位置に戻す為のバネを備えたペーパーカッターを設けたので、そのペーパーカッターを下に下げると、ペーパーカッターの裏側に設けたペーパー押さえが、ペーパー取り出し片の上に引き出されたペーパーを上からしっかりと抑え、その状態を保ち、ペーパーを一気に上に引き上げれば、ペーパーカッターの先端に設けた刃先を利用してペーパーをカット出来、手を放せばペーパーカッターが元の位置に戻る。
その結果、ペーパー取り出し片に引き出されたトイレットペーパーの余白を残してカットすることが出来るようになり、今までペーパーを繰り出す際に、わざわざ蓋を持ち上げてペーパーを取り出したり、又はペーパーの切り口が手前に出てくるようにトイレットペーパー本体を手で転がしたりしなくても、容易につまみ出し、繰り出すことが出来るようになる。
【図面の簡単な説明】
【０００６】
【図１】本考案の取り出し片付ペーパーホルダーの上蓋、中蓋、本体を、上下方向に分離した状態の側面図。
【図２】本考案の取り出し片付ペーパーホルダーの正面図。
【図３】本考案の取り出し片付ペーパーホルダー本体の一部切欠斜視図。
【図４】本考案の取り出し片付ペーパーホルダー中蓋の一部切欠斜視図。
【図５】本考案の取り出し片付ペーパーホルダー上蓋の一部切欠斜視図。
【考案を実施するための形態】
【０００７】
以下、添付図面に従って実施の形態を説明する。
主に図１に示すように、ホルダー本体１は二枚のサイドカバー１ａ、１ａ’と後ろカバー１ｂで構成され、その二枚のサイドカバー１ａ、１ａ’の内側には、トイレットペーパー２７ｐの着脱に伴う空間となるペーパーセットスペース１ｃを設けると共に、トイレットペーパー２７ｐをセットする為の軸となるピン３ａ、３ｂ（３ａ’、３ｂ’ ）を支点として回動自在で、且つ元の位置に戻す為のバネ４ａ、４ｂ（４ａ’、４ｂ’ ）を備えたペーパーセットバー２ａ、２ａ’を設ける。
更に、そのペーパーセットバー２ａ、２ａ’の両端には、ペーパーセットバー２ａ、２ａ’が回動する際に、サイドカバー１ａ，１ａ’とペーパーセットバー２ａ、２ａ’との接触を防ぐ為、回動スペース５ａ、５ａ’を設ける。
又、そのホルダー本体１の後ろカバー１ｂの上部には、その両蓋の開閉のための軸となるピン９ａ、９ａ’を設ける（図３参照）。
【０００８】
次に、主に図１に示すように、上記ホルダー本体１の蓋は、中蓋１０と上蓋１６との二枚の蓋で構成され、その中蓋１０には、中蓋１０を閉じた状態からホルダー本体１にセットしたトイレットペーパー２７ｐの切れ端を引き出せるようにする為、中蓋１０の上部奥側に横１２ｃｍ、縦５ｃｍほどの空間をペーパー引き出し開口部１２として設けると共に、そのペーパー引き出し開口部１２から、手前に引き出されてくるペーパーをスムーズに受け流す為に、そのペーパー引き出し開口部１２の手前にペーパー送り出し片１３を設ける。
又、ペーパーを繰り出す際につまみ出し易くする為、手前に少し突き出したような滑らかな流線形を施したペーパー取り出し片１５を、その中蓋１０の先端部に設けた（図４参照）。                                                                                                                                                          
尚、前記ホルダー本体１に中蓋１０を閉じて固定させるため、ペーパー取り出し片１５両脇にピン１４ａ，１４ａ’を設けると共に、ホルダー本体１の両サイドカバー１ａ、１ａ’の手前内側に溝７ａ、７ａ’を設けた。
更に、その中蓋１０が下がり過ぎることを防止する為、両サイドカバー１ａ、１ａ’の内側上部にストッパー８ａ、８ａ’を設ける。
【０００９】
次に、主に図１に示すように、上記、上蓋１６の先端部には、ペーパー取り出し片１５の上に引き出したペーパーがずれる事を防止する為、ペーパーカバー２２を設けると共に、ペーパー取り出し片１５の上に引き出されたペーパーをつまみ出せる様にする為に、そのペーパーカバー２２の先端部には、半円状の切れ込みを開けたペーパー取り出し口２３を設ける。
又、ペーパー取り出し片１５の上に引き出されたペーパーの余白２７ｙを残してカットする為に、ピン２０ａ、２０ａ’を支点として回動自在であると共に、元の位置に戻す為のバネ２１ａ、２１ａ’を備えたペーパーカッター２３を、そのペーパーカバー２２の上部に設ける。
その時、ペーパー取り出し片１５の上に引き出されたペーパーを上からしっかり押さえると同時に、クッションの役割も果たす薄いスポンジ状にて形成したペーパー押さえ２５を、そのペーパーカッター２３の手前の裏側に設ける。
更に、ペーパーをカットする為に必要な安全で程よく鋭利な刃先２３ａを、同じくそのペーパーカッター２３の先端部に設ける（図５参照）。
尚、前記上蓋１６を閉じて、中蓋１０に固定する為、上蓋１６両脇にフック１９ａ、１９ａ’を設けると共に、その上蓋１６を閉じる際、フック１９ａ、１９ａ’がサイドカバー１ａ、１ａ’に当たることを防止する為、そのサイドカバー１ａ、１ａ’の上部内側にフックスペース６ａ、６ａ’を設ける。
【００１０】
次に本考案の実施の形態の作用効果を説明する。
主に図１に示すように、上記ホルダー本体１の後ろカバー１ｂに設けたピン９ａ、９ａ’を支点に中蓋１０と上蓋１６の２枚の両蓋が開閉自在になり、その両蓋を開放する。
次に、二枚のサイドカバー１ａ、１ａ’の内側のトイレットペーパー２７ｐの着脱に伴う空間となるペーパーセットスペース１ｃを利用しペーパーセットバー２ａ、２ａ’にトイレットペーパー２７ｐをセットする。
その時、そのペーパーセットバー２ａ、２ａ’の両端には、回動スペース５ａ、５ａ’が設けられているので、ペーパーセットバー２ａ、２ａ’が回動する際に、サイドカバー１ａ，１ａ’とペーパーセットバー２ａ、２ａ’との接触を防ぐことが出来、ペーパーセットバー２ａ、２ａ’が回動自在になる。
又、ペーパーセットバー２ａ、２ａ’が、ピン３ａ、３ｂ（３ａ’、３ｂ’ ）を支点に前後どちらに回動してもバネ４ａ、４ｂ（４ａ’、４ｂ’ ）を設けているので、元の位置に戻る為、その二本のペーパーセットバー２ａ、２ａ’との中心にトイレットペーパー２７ｐを回動自在にセット出来るようになる（図３参照）。
【００１１】
次に、主に図１に示すように、上記、中蓋１０を下ろし、ペーパー取り出し片１５の両脇に設けたピン１４ａ，１４ａ’を、サイドカバー１ａ、１ａ’の内側に設けた溝７ａ、７ａ’に掛け止めて、ホルダー本体１に中蓋１０を固定して閉じる。
その時、サイドカバー１ａ、１ａ’の内側上部にストッパー８ａ、８ａ’を設けたので、中蓋１０が下がり過ぎることが防止される。
又、中蓋１０の上部奥側にペーパー引き出し開口部１２を設けているので、中蓋１０を閉じた状態から、ホルダー本体１にセットされたトイレットペーパー２７ｐの切れ端をつまみ引き出すことが出来る。
更に、そのペーパー引き出し開口部１２の手前には、ペーパー送り出し片１３を設けたので、ペーパー引き出し開口部１２から、手前に引き出されてくるペーパーを受け流してくれる為、スムーズに前方へペーパーを送り出すことが出来る。
そして、そのペーパー送り出し片１３の上を通しつつ、ペーパー取り出し片１５までペーパーを引き出す。
その時、中蓋１０の先端には、手前に少し突き出したような滑らかな流線形が施されたペーパー取り出し片１５を設けているので、ペーパーを容易につまみ繰り出すことが出来る（図４参照）。
【００１２】
次に、主に図１に示すように、上記、上蓋１６の両脇に設けたフック１９ａ、１９ａ’を中蓋１０に掛け止めて固定し、上蓋１６を閉じる。
その時、サイドカバー１ａ、１ａ’の上部内側にフックスペース６ａ、６ａ’を設けているので、上から下りてくるフック１９ａ、１９ａ’分のスペースが確保され、サイドカバー１ａ、１ａ’にフック１９ａ、１９ａ’が当たることなく上蓋１６を閉じることが出来る。
又、その上蓋１６の先端には、ペーパー取り出し片１５の上に引き出されたペーパーを軽く上から押さえる働きをするペーパーカバー２２を設けているので、ペーパー取り出し片１５の上に引き出されたペーパーがずれる事を防止することが出来る。
更に、そのペーパーカバー２２の先端部には、ペーパー取り出し口２３を設けたので、ペーパー取り出し片１５の手前上部に半円状の空間が出来る為、ペーパー取り出し片１５とペーパー取り出し口２３の間に引き出しの為のペーパーが余白２７ｙとなって残る（図２参照）。
以上でペーパーのセットが完了する。
【００１３】
次に、主に図１に示すように、上記ペーパー取り出し片１５より必要に応じてペーパーを繰り出す。
次に、前記ペーパーカバー２２の上部に設けたピン２０ａ、２０ａ’を支点に回動自在なペーパーカッター２４を下に下げる。
その時、ペーパー取り出し片１５の先端の形状に合わせて、上からペーパーカッター２４が重なり、そのペーパー取り出し片１５に引き出されたペーパーを挟み込んだ状態になる。
又、そのペーパーカッター２４の手前の裏側には、ペーパー押さえ２５を設けているので、ペーパー取り出し片１５の上に引き出されたペーパーを上からしっかり押さえると同時に、クッションの役割も果たし、その衝撃を和らげることが出来る。
更に、そのペーパーカッター２４の先端には、刃先２６を設けたので、ペーパーカッター２４を下げた状態を保ちつつ、ペーパーの一部を摘んで、一気に上に引き上げると、その刃先２６が程よく鋭利になっている為、安全にペーパーをカットすることが出来る。
そして、ペーパーをカットした後、手を放せば、ペーパーカッター２４にバネ２１ａ、２１ａ’を設けているので、下げたペーパーカッター２４が元の位置に戻る（図５参照）。
【００１４】
本考案は、上途の如き構成からなるものであるから、ペーパーを繰り出す際に、わざわざ蓋を持ち上げてペーパーを摘み出したり、又はペーパーの切り口が手前に出てくるように、トイレットペーパー２７ｐ本体を手で転がしたりしなくても、ペーパー取り出し片１５とペーパーカバー２２の間に引き出されたペーパーを、余白２７ｙとして残してペーパーをカットすることが出来るようになる為、ペーパーを繰り出す時、極めて容易にペーパーを摘み、引き出すことが可能となる。
【符号の説明】
【００１５】
１      ホルダー本体
１ａ    サイドカバー
１ａ’  サイドカバー
１ｂ    後ろカバー
１ｃ    ペーパーセットスペース
２ａ    ペーパーセットバー
２ａ’  ペーパーセットバー
３ａ    ピン
３ｂ    ピン
３ａ’  ピン
３ｂ’  ピン
４ａ    バネ
４ｂ    バネ
４ａ’  バネ
４ｂ’  バネ
５ａ    回動スペース
５ａ’  回動スペース
６ａ    フックスペース
６ａ’  フックスペース
７ａ    溝
７ａ’  溝
８ａ    ストッパー
８ａ’  ストッパー
９ａ    ピン
９ａ’  ピン
１０    中蓋
１１ａ  穴
１１ａ’穴
１２    ペーパー引き出し開口部
１３    ペーパー送り出し片
１４ａ  ピン
１４ａ’ピン
１５    ペーパー取り出し片
１６    上蓋
１７ａ  開閉ピン
１７ａ’開閉ピン
１８ａ  穴
１８ａ’穴
１９ａ  フック
１９ａ’フック
２０ａ  ピン
２０ａ’ピン
２１ａ  バネ
２１ａ’バネ
２２    ペーパーカバー
２３    ペーパー取り出し口
２４    ペーパーカッター
２５    ペーパー押さえ
２６    刃先
【図１】
0003166455.tif 000003
【図２】
0003166455.tif 000004
【図３】
0003166455.tif 000005
【図４】
0003166455.tif 000006
【図５】
0003166455.tif 000007